(57)【要約】【課題】回線が接続された状態で通信用途に合わせてビットマップ情報の最適化を図ることのできるＡＤＳＬモデムおよびＡＤＳＬモデム間におけるビットマップ最適化方法を得ること。【解決手段】加入者側に設置されるＡＤＳＬモデムとしてのＡＴＵ−Ｒは、電話局側のＡＴＵ−Ｃと回線が接続された状態で、端末からＶｏＩＰ通信要求があると（ステップＳ２０１）、ビットマップ情報の切り替えをＡＴＵ−Ｃに要求し（ステップＳ２０２）、切替準備の後に切替認証が返されると（ステップＳ２０４）、移行状態の後にＡＴＵ−Ｃに切替通知を行って（ステップＳ２０６）、予めトレーニングの終了した所望のビットマップ情報を用いた通信に切り替える。【選択図】図３
2006054666.tif 000002
【特許請求の範囲】
【請求項１】
接続する回線間で予めトレーニングを行った各サブキャリアごとのビット割り当てとしてのビットマップ情報を複数種類格納する複数ビットマップ情報格納手段と、
この複数ビットマップ情報格納手段に格納された特定の種類のビットマップ情報を使用して回線を接続する回線接続手段と、
この回線接続手段によって回線を接続した状態で、使用するビットマップ情報についての切替要求が発生したとき、前記複数ビットマップ情報格納手段に格納されている前記複数種類のビットマップ情報の内容の通知を予め受けている回線の接続先のモデムに対して要求する切替要求送出手段と、
この切替要求送出手段の送出した切替要求に対して切り替えを可とする応答があったとき回線の接続を維持した状態でビットマップ情報の切り替えを行うビットマップ情報切替手段
とを具備することを特徴とするＡＤＳＬモデム。
【請求項２】
前記特定の種類のビットマップ情報は、遠端漏話としてのＦＥＸＴおよび近端漏話としてのＮＥＸＴのそれぞれについて信号対雑音比としてのＳＮＲを比較的小さな値として設定していることを特徴とする請求項１記載のＡＤＳＬモデム。
【請求項３】
前記複数ビットマップ情報格納手段には、デジタル端末用とアナログ端末用のそれぞれのビットマップ情報が少なくとも格納されていることを特徴とする請求項１記載のＡＤＳＬモデム。
【請求項４】
前記デジタル端末用のビットマップ情報は、前記特定の種類のビットマップ情報であり、前記アナログ端末用のビットマップ情報は、ＶｏＩＰの通信に適するように前記ＳＮＲを比較的大きな値として設定した情報であることを特徴とする請求項２および請求項３記載のＡＤＳＬモデム。
【請求項５】
接続する回線間で複数の種類の通信にそれぞれ個別に適するような各サブキャリアごとのビット割り当てとしてのビットマップ情報をトレーニングを行って予め決定する通信用途別ビットマップ情報決定ステップと、
この通信用途別ビットマップ情報決定ステップで決定された通信用途別ビットマップ情報を前記接続する回線の両端のＡＤＳＬモデムにそれぞれ格納する通信用途別ビットマップ情報格納ステップと、
前記回線の両端のＡＤＳＬモデムのうちの通信を行おうとするＡＤＳＬモデムが前記通信用途別ビットマップ情報のうちの予め定めた特定の種類のビットマップ情報を使用して回線を接続する回線接続ステップと、
この回線接続ステップで回線が接続された状態で前記通信用途別ビットマップ情報格納ステップで格納された通信用途別ビットマップ情報のうちで前記特定の種類のビットマップ情報以外のビットマップ情報の使用による通信の要求が、前記回線の両端のＡＤＳＬモデムのいずれか一方で発生したとき、この要求に基づくビットマップ情報の切り替えを他方のＡＤＳＬモデムに通知する切替要求通知ステップと、
この切替要求通知ステップで切替要求を通知されたＡＤＳＬモデムが前記特定の種類のビットマップ情報から通知を受けたビットマップ情報への切り替えの準備を行う切替準備ステップと、
この切替準備ステップで切り替えの準備が完了したとき前記切替要求を通知されたＡＤＳＬモデムから通知したＡＤＳＬモデムに対して切り替えを認証するとともに自身を切り替えへの移行状態に移行させて切替認証を通知する切替認証通知ステップと、
この切替認証通知ステップで切替認証を通知されたＡＤＳＬモデムが切替先のビットマップ情報への移行状態に遷移する移行状態遷移ステップと、
前記移行状態遷移ステップで切替先のビットマップ情報への移行状態に遷移したＡＤＳＬモデムから前記他方のＡＤＳＬモデムに対してビットマップ情報の切り替えのタイミングを通知する切替タイミング通知ステップと、
この切替タイミング通知ステップの通知時点から前記回線の両端のＡＤＳＬモデムが新たなビットマップ情報に切り替えて通信を行う通信切替ステップ
とを具備することを特徴とするＡＤＳＬモデム間におけるビットマップ最適化方法。
【請求項６】
前記特定の種類のビットマップ情報は、遠端漏話としてのＦＥＸＴおよび近端漏話としてのＮＥＸＴのそれぞれについて信号対雑音比としてのＳＮＲを比較的小さな値として設定されていることを特徴とする請求項５記載のＡＤＳＬモデム間におけるビットマップ最適化方法。
【発明の詳細な説明】
【技術分野】
【０００１】
本発明は、非対称ディジタル加入者回線を使用して高速通信を行うＡＤＳＬモデムおよびこれらのＡＤＳＬモデム間におけるビットマップ最適化方法に関する。
【背景技術】
【０００２】
既存の固定電話の加入者線としてのメタル回線を使用して高速通信を行う技術として、ＡＤＳＬ（Asymmetric Digital Subscriber Line）が普及している。ＡＤＳＬモデムの回線接続における初期化手順では、加入者側に設置されるＡＤＳＬモデムとしてのＡＴＵ−Ｒ（ADSL Transceiver Unit）が、ハンドシェークを行うことで、電話局側に設置されるＡＤＳＬモデムとしてのＡＴＵ−Ｃ（ADSL Transceiver Unit）との通信を確立させる。そして、送受信機トレーニングフェーズに移って、自動利得制御や、自動等化器の調整を行うようになっている。
【０００３】
送受信機トレーニングフェーズの次に、チャネル分析のフェーズに移行する。このチャネル分析のフェーズでは、ターゲットＳＮＲ（Signal to Noise Ratio：信号対雑音比）のマージンや、電話局側のＡＴＵ−Ｃがサポートする搬送波に割り当てられる最大ビット数の分析、あるいはＣ−ＭＥＤＬＥＹと定義される広帯域の擬似ランダム信号によってＳＮＲの評価を行う。次に、チャネル分析によって得られた情報を基にして、交換フェーズでＡＴＵ−ＲとＡＴＵ−Ｃとの間で、各サブキャリアごとのビット割り当てとしてのビットマップを決定して、通信速度等の決定を行うようになっている。このようなトレーニングによって決定されたビットマップは、ＦＥＸＴ（Far End CrossTalk：遠端漏話）およびＮＥＸＴ（Near End CrossTalk：近端漏話）のそれぞれについて１パターンのみとなっている。これは、ＡＤＳＬ回線キャリアによって設定されたＳＮＲを満足するように決定されている。
【０００４】
従来から、インターネットに対するアクセスを快適に提供するために、一般にＳＮＲは比較的小さな値に設定され、通信レート自体を高く設定するようにしている。しかしながら、このようにＳＮＲを犠牲にして通信レートを高く設定した通信環境では、ノイズに対する耐力が低くなる。したがって、インターネットプロトコルを使って音声データを伝送する通信技術としてのＶｏＩＰ（Voice over Internet Protocol）の通信時には、音声が聞き取りにくくなったり、音声の途切れが発生しやすいという問題が生じる。
【０００５】
このような問題を解決する１つの手法として、ＳＮＲをそれぞれのユーザの通信環境に合わせて最適化することが考えられている。ＳＮＲの最適化を行って、ＩＳＤＮ（Integrated Service Digital Network）によるＡＤＳＬへの雑音の影響を緩和する第１の提案が行われている（たとえば特許文献１参照）。この第１の提案では、ＩＳＤＮの送信タイミングに合わせて、時間的にビットマップの切り替えを行うようにしている。
【０００６】
また、図示しないリピータの前後で、物理的にリピータによって分けられた回線網間を、各々の回線で設定されたＳＮＲを最適化するようにビットマップを形成するようにする第２の提案も行われている（たとえば特許文献２参照）。
【０００７】
【特許文献１】特表２００２−５３２９５３（第００３５段落、図５）
【特許文献２】特開２００３−３３３２１０号公報（第００４１段落、図１）
【発明の開示】
【発明が解決しようとする課題】
【０００８】
これら第１および第２の提案のようにＳＮＲを通信環境に合わせて最適化することができる。これにより、たとえばＶｏＩＰ通信を行うときだけ、ＳＮＲを高く設定すれば、音声が聞き取りにくくなったり、音声の途切れが発生するといった、問題は発生しにくくなる。
【０００９】
しかしながら、これら第１および第２の提案のように通信環境に合わせてＳＮＲを最適化する手法を採用する場合、その都度、ＡＤＳＬ回線のリンクを切断し、新しく設定するＦＥＸＴおよびＮＥＸＴのビットマップについて再トレーニングを行う必要があった。このため、これらの提案をＶｏＩＰの通信に適用しようとすると、一度、接続された回線を切断して、しかもＳＮＲを高く設定するためのビットマップについて再トレーニングを行う時間だけ待機して通信を開始させる必要が生じるという問題が生じた。
【００１０】
以上、ＶｏＩＰ通信を行う場合を例に挙げて説明したが、複数端末のインターフェイスを有するＡＤＳＬモデム側で、ＦＥＸＴおよびＮＥＸＴのビットマップを別のものに切り替える場合には、回線の切断を一度行わなければならないという同様の問題が生じた。
【００１１】
そこで本発明の目的は、回線が接続された状態で通信用途に合わせてビットマップ情報の最適化を図ることのできるＡＤＳＬモデムおよびＡＤＳＬモデム間におけるビットマップ最適化方法を提供することにある。
【課題を解決するための手段】
【００１２】
本発明のＡＤＳＬモデムは、（イ）接続する回線間で予めトレーニングを行った各サブキャリアごとのビット割り当てとしてのビットマップ情報を複数種類格納する複数ビットマップ情報格納手段と、（ロ）この複数ビットマップ情報格納手段に格納された特定の種類のビットマップ情報を使用して回線を接続する回線接続手段と、（ハ）この回線接続手段によって回線を接続した状態で、使用するビットマップ情報についての切替要求が発生したとき、前記した複数ビットマップ情報格納手段に格納されている前記した複数種類のビットマップ情報の内容の通知を予め受けている回線の接続先のモデムに対して要求する切替要求送出手段と、（ニ）この切替要求送出手段の送出した切替要求に対して切り替えを可とする応答があったとき回線の接続を維持した状態でビットマップ情報の切り替えを行うビットマップ情報切替手段とを具備している。
【００１３】
すなわち本発明では、接続する回線間で予めトレーニングを行った複数の種類のビットマップ情報を複数ビットマップ情報格納手段に格納するとともに、接続先のモデムに対してこれらの内容を通知しておき、そのうちの特定の種類のビットマップ情報を使用して回線を接続するようにしている。そして、回線接続手段によって回線を接続した状態で、使用するビットマップ情報についての切替要求が発生したときには、回線の接続先のモデムに対してビットマップ情報の切り替えを要求し、この切替要求に対して切り替えを可とする応答があったときには、回線の接続を維持した状態でビットマップ情報の切り替えを行うことにしている。このように、予めトレーニングを行ったビットマップ情報を用いてビットマップ情報の切り替えを行うので、回線を一度切断することなく、端末に適合したビットマップ情報への切り替えを行うことができる。
【００１４】
また、本発明のＡＤＳＬモデム間におけるビットマップ最適化方法では、（イ）接続する回線間で複数の種類の通信にそれぞれ個別に適するような各サブキャリアごとのビット割り当てとしてのビットマップ情報をトレーニングを行って予め決定する通信用途別ビットマップ情報決定ステップと、（ロ）この通信用途別ビットマップ情報決定ステップで決定された通信用途別ビットマップ情報を接続する回線の両端のＡＤＳＬモデムにそれぞれ格納する通信用途別ビットマップ情報格納ステップと、（ハ）回線の両端のＡＤＳＬモデムのうちの通信を行おうとするＡＤＳＬモデムが通信用途別ビットマップ情報のうちの予め定めた特定の種類のビットマップ情報を使用して回線を接続する回線接続ステップと、（ニ）この回線接続ステップで回線が接続された状態で通信用途別ビットマップ情報格納ステップで格納された通信用途別ビットマップ情報のうちで前記した特定の種類のビットマップ情報以外のビットマップ情報の使用による通信の要求が、回線の両端のＡＤＳＬモデムのいずれか一方で発生したとき、この要求に基づくビットマップ情報の切り替えを他方のＡＤＳＬモデムに通知する切替要求通知ステップと、（ホ）この切替要求通知ステップで切替要求を通知されたＡＤＳＬモデムが前記した特定の種類のビットマップ情報から通知を受けたビットマップ情報への切り替えの準備を行う切替準備ステップと、（へ）この切替準備ステップで切り替えの準備が完了したとき切替要求を通知されたＡＤＳＬモデムから通知したＡＤＳＬモデムに対して切り替えを認証するとともに自身を切り替えへの移行状態に移行させて切替認証を通知する切替認証通知ステップと、（ト）この切替認証通知ステップで切替認証を通知されたＡＤＳＬモデムが切替先のビットマップ情報への移行状態に遷移する移行状態遷移ステップと、（チ）移行状態遷移ステップで切替先のビットマップ情報への移行状態に遷移したＡＤＳＬモデムから前記した他方のＡＤＳＬモデムに対してビットマップ情報の切り替えのタイミングを通知する切替タイミング通知ステップと、（リ）この切替タイミング通知ステップの通知時点から回線の両端のＡＤＳＬモデムが新たなビットマップ情報に切り替えて通信を行う通信切替ステップとを具備している。
【００１５】
すなわち本発明では、接続する回線間で複数の種類の通信にそれぞれ個別に適するような各サブキャリアごとのビット割り当てとしてのビットマップ情報をトレーニングを行って予め決定する通信用途別ビットマップ情報決定し、この決定された通信用途別ビットマップ情報を接続する回線の両端のＡＤＳＬモデムにそれぞれ格納しておく。そして、回線の両端のＡＤＳＬモデムのうちの通信を行おうとするＡＤＳＬモデムが通信用途別ビットマップ情報のうちの予め定めた特定の種類のビットマップ情報を使用して回線を接続する。回線が接続された状態で、回線の両端のＡＤＳＬモデムのいずれか一方で発生したとき、この要求に基づくビットマップ情報の切り替えを他方のＡＤＳＬモデムに通知し、切替要求を通知されたＡＤＳＬモデムに、前記した特定の種類のビットマップ情報から通知を受けたビットマップ情報への切り替えの準備を行わせる。そして、切り替えの準備が完了したときに切替要求を通知されたＡＤＳＬモデムから通知したＡＤＳＬモデムに対して切り替えを認証させるとともに、切り替えへの移行状態に移行させる。切替認証を通知された方のＡＤＳＬモデムは、この段階で切替先のビットマップ情報への移行状態に遷移して、この後、両ＡＤＳＬモデムの間でビットマップ情報を切り替える切り替えのタイミングを通知する。この通知時点から回線の両端のＡＤＳＬモデムが新たなビットマップ情報に切り替えて通信を行うことになる。したがって、回線を切断することなく、通信用途に応じてビットマップ情報の切り替えが可能になる。
【発明の効果】
【００１６】
以上説明したように本発明によれば、複数の種類の通信にそれぞれ個別に適するようなビットマップ情報をトレーニングを行って予め決定しておくので、回線を一度切断してトレーニングを行うといった処理を経ることなく、通信用途に合ったビットマップ情報に迅速に切り替えることができる。
【発明を実施するための最良の形態】
【００１７】
以下実施例につき本発明を詳細に説明する。
【実施例１】
【００１８】
図１は、本発明の一実施例における加入者側に設置されるＡＤＳＬモデムとしてのＡＴＵ−Ｒとその周辺を表わしたものである。ＡＴＵ−Ｒ１０１は、スプリッタ１０２を介して、電話局側に設置されるＡＤＳＬモデムとしてのＡＴＵ−Ｃと電話回線１０３を介して接続されるようになっている。スプリッタ１０２は、音声（周波数で４．３ｋＨｚ以下）とＡＤＳＬデータ（３０ｋＨｚ以上）とを分離したり合成するためのもので、高周波側に接続された第１のケーブル１０４がＡＴＵ−Ｒ１０１と接続されている。低周波側に接続された第２のケーブル１０５は、そのまま、直接、電話機等のアナログ端末１０６と接続されてもよいが、本実施例のＡＴＵ−Ｒ１０１では第２のケーブル１０５を内部のアナログ端末（ＶｏＩＰ）インタフェース１１１に引き込んでいる。したがって、アナログ端末１０６は、ＡＴＵ−Ｒ１０１内のアナログ端末インタフェース１１１とアナログ電話回線１０７によって接続されている。パーソナルコンピュータ等のデジタル端末１０８は、たとえばイーサネット（登録商標）等を用いたＬＡＮ（ローカルエリアネットワーク）ケーブル１０９を介して、ＡＴＵ−Ｒ１０１内のデジタル端末インタフェース１１２と接続されている。
【００１９】
ＡＴＵ−Ｒ１０１は、これらアナログ端末インタフェース１１１、デジタル端末インタフェース１１２およびメモリ１１３、ならびにデジタル信号処理部１１４と接続された制御部１１５を備えている。ここで、アナログ端末インタフェース１１１は、電話機等のアナログ端末１０６とのインタフェース、アナログ端末１０６から送られてくる信号の符号化、アナログ電話回線１０７とＶｏＩＰ通信との切り替えの制御を行うようになっている。デジタル端末インタフェース１１２は、イーサネット（登録商標）等を終端する。メモリ１１３は、所定の制御プログラムを格納する他に、トレーニングによって決定される複数のビットマップ情報を格納する複数ビットマップ記憶部１１６を、その一部のエリアに備えている。ここでビットマップ情報とは、各サブチャネルに割り当てられる送信ビットの数で表わされる擬似キャリアチャートである。
【００２０】
制御部１１５は、メモリ１１３内の前記した制御プログラムを実行する図示しないＣＰＵ（中央処理装置）を備えており、これにより、ＡＴＵ−Ｒ１０１内部の各機能モジュールを制御するようになっている。デジタル信号処理部１１４は、ＡＤＳＬの逆フーリエ変換あるいはフーリエ変換等を行うようになっている。
【００２１】
デジタル信号処理部１１４には、ＡＤＳＬ送信部１１７と、ＡＤＳＬ受信部１１８が接続されており、これらはハイブリッド部１１９を介してスプリッタ１０２と第１のケーブル１０４によって接続されている。ここで、ＡＤＳＬ送信部１１７は、デジタル信号をアナログ信号に変換するＤ／Ａ変換器とローパスフィルタ等の回路で構成されている。ＡＤＳＬ受信部１１８は、アナログ信号をデジタル信号に変換するＡ／Ｄ変換器とハイパスフィルタ等の回路で構成されている。ハイブリッド部１１９は、４線−２線変換を行うようになっている。これは、宅内配線の部分が送信用に一対（２本）、受信用に一対（２本）の二対（４本）の４線式となっているのに対して、加入者と交換機の間はアナログ回線としての２線式の銅線を使用するため、全二重通信を行うことができず、２線−４線変換が行われるためである。
【００２２】
本実施例のＡＴＵ−Ｒ１０１は、インターネットへのアクセスを前提としたパーソナルコンピュータ等のデジタル端末１０８と、ＶｏＩＰ通信を目的としたアナログ端末１０６の２種類の端末を用途によって使い分けることにしている。ＡＴＵ−Ｒ１０１では、電話局側に設置されるＡＤＳＬモデムとしてのＡＴＵ−Ｃと電話回線１０３の接続を行う前のトレーニングで、これらの用途別に２種類のビットマップ情報を形成し、これらを複数ビットマップ記憶部１１６に格納するようになっている。本実施例では、デジタル端末用の第１のビットマップ情報と、アナログ端末用の第２のビットマップ情報の２種類のビットマップ情報が複数ビットマップ記憶部１１６に格納されるようになっている。
【００２３】
このうちの第１のビットマップ情報は、ＳＮＲを小さく設定して、より高い通信レートを確保するためのものである。第２のビットマップ情報は、第１のビットマップ情報と比較してＳＮＲを大きく設定したもので、通信レートは第１のビットマップ情報を使用する場合のように高く設定することはできないものの、ノイズ耐力を確保することで、より安定した通信を提供可能となっている。
【００２４】
ＡＴＵ−Ｒ１０１側で形成された第１および第２のビットマップ情報は、複数ビットマップ記憶部１１６に格納されると同時に、電話局側に設置されるＡＤＳＬモデムとしてのＡＴＵ−Ｃにも、これらのビットマップ情報が通知される。ここで、ＡＴＵ−Ｒ１０１とＡＴＵ−Ｃの間で回線が接続される初期段階では、第１のビットマップ情報を用いるようになっている。
【００２５】
図２は、複数ビットマップ記憶部に格納されたビットマップ情報を表わしたものである。ここでは、図１に示したパーソナルコンピュータ等のデジタル端末１０８に対しては、より高い通信レートを確保する第１のビットマップ情報が割り当てられており、電話機等のアナログ端末１０６に対してはノイズ耐力を確保できる第２のビットマップ情報が割り当てられている。これらのビットマップ情報は、主にＩＳＤＮ（Integrated Service Digital Network）の信号が存在する場合におけるＦＥＸＴと、主にＩＳＤＮの信号がないときのＮＥＸＴについて、それぞれ形成されている。
【００２６】
今、ＡＴＵ−Ｒ１０１とＡＴＵ−Ｃの間で、ＡＴＵ−Ｃから最初に通知されたＳＮＲを満足する第１のビットマップ情報を適用して回線が接続されているとする。この状態である時点にアナログ端末１０６からＡＴＵ−Ｒ１０１がＶｏＩＰ通信要求を受けたとする。
【００２７】
図３は、この場合における図１に示したアナログ端末、ＡＴＵ−ＲおよびＡＴＵ−Ｃの処理の流れを示したものである。アナログ端末１０６からＡＴＵ−Ｒ１０１に対してＶｏＩＰ通信要求が送られてくると（ステップＳ２０１）、ＡＴＵ−Ｒ１０１の制御部１１５はＡＴＵ−Ｃに対してビットマップ切替要求を通知する（ステップＳ２０２）。
【００２８】
ここで、ビットマップ切替要求をＡＴＵ−Ｒ１０１から電話回線１０３を通じてＡＴＵ−Ｃに通知する方法は幾つか存在する。たとえば、ＡＤＳＬのオーバヘッド制御チャネル情報を拡張して通知してもよいし、特定サブキャリアの一部を予めＡＴＵ−Ｒ１０１とＡＴＵ−Ｃの間の情報チャネルとして割り当てておいて、この情報チャネルを使用してビットマップ切替要求に関する通知を行うようにしてもよい。
【００２９】
ＡＴＵ−ＣはＡＴＵ−Ｒ１０１と同様に、図示しないがＣＰＵを備えており、その制御プログラムを実行することで所定の制御を行うようになっている。この電話局側に設置されるＡＤＳＬモデムとしてのＡＴＵ−Ｃは、ＡＴＵ−Ｒ１０１からビットマップ切替要求を受けると、事前にＡＴＵ−Ｒ１０１から通知されている第１および第２のビットマップ情報を基にして、現在適用している第１のビットマップ情報から第２のビットマップ情報への切り替えの準備を行う（ステップＳ２０３）。そして、切り替えが可能な状態になると、移行状態へ推移すると共に、ＡＴＵ−Ｒ１０１に対してビットマップ切替認証を通知する（ステップＳ２０４）。
【００３０】
ＡＴＵ−Ｒ１０１は、このビットマップ切替認証の通知を受信すると、現在の第１のビットマップ情報から第２のビットマップ情報へ移行するための切り替えの準備を行って、切り替えが可能になると移行状態に移行する（ステップＳ２０５）。そして、ＡＴＵ−Ｒ１０１はＡＴＵ−Ｃに対して切替通知を送信する（ステップＳ２０６）。この切替通知を受信したＡＴＵ−Ｃは、第１のビットマップ情報から第２のビットマップ情報への切り替えを実行する（ステップＳ２０７）。これにより、以後はＡＴＵ−Ｒ１０１とＡＴＵ−Ｃの間で第２のビットマップ情報による通信が確立する。したがって、ＶｏＩＰの通信時に、音声が良好に伝送され、音声の途切れが発生しにくくなる。
【００３１】
以上、第１のビットマップ情報から第２のビットマップ情報への切り替えについて説明したが、一度、第２のビットマップ情報に切り替えた後に、回線の切断を行うことなく再びデジタル情報の伝送を行うような場合には、ビットマップ切替要求をＡＴＵ−Ｒ１０１からＡＴＵ−Ｃに行えばよい。
【００３２】
このように本実施例では、予めビットマップを２種類形成しておき、通信中にこれらを交替で切り替えるようにした。また、初期的にはＳＮＲを犠牲にして通信レートを高く設定できる方のビットマップ情報に設定するようにした。これにより、通信の用途に応じた最適な通信環境を形成することができる。そして、定常的には高速な通信レートを要求される状況下で、ＶｏＩＰ通信のような、強固なノイズ耐力や安定度を要求される通信の要求が発生したときに、そのような要求にあったビットマップについて再トレーニングを実行することなく、要求に沿った通信を迅速に実現することができることになる。
【００３３】
＜発明の変形例＞
【００３４】
以上説明した実施例では、インターネットへのアクセスを目的としたデジタル端末１０８と、ＶｏＩＰ通信を目的としたアナログ端末１０６の２種類の端末に対応させて、２種類のビットマップを用意することにしたが、３種類以上のビットマップを予め形成しておいて、図１に示す複数ビットマップ記憶部１１６に格納しておいてもよいことは当然である。
【００３５】
たとえば集中結線装置としての外部ハブ（ＨＵＢ）や、ハブ機能を内蔵して、複数の端末を収容することのできるＡＤＳＬモデムでは、複数端末のそれぞれの用途に応じて２以上で必要な数だけのビットマップを形成しておき、それぞれの端末の用途に応じてこれらのビットマップを切り替えて使用することが可能である。
【００３６】
図４は、このような変形例のＡＴＵ−Ｒを示したものである。ＡＴＵ−Ｒ３０１には、インターネットにアクセスする第１の端末３１１と、インターネット対戦型のゲーム端末としての第２の端末３１２と、ＶｏＩＰ通信用の第Ｎの端末３１Ｎ等の複数の端末が接続されている。ＡＴＵ−Ｒ３０１内のメモリ３２３には、第１〜第Ｎの端末３１１〜３１Ｎのそれぞれにもっとも適するようなビットマップ情報３３１〜３３Ｎが格納されている。これにより、加入者側に設置されるＡＤＳＬモデムとしてのＡＴＵ−Ｒ３０１は、その通信用途に応じて、最も適するビットマップ情報を適用して、電話局側に設置されるＡＤＳＬモデムとしてのＡＴＵ−Ｃと通信を行うことができる。
【図面の簡単な説明】
【００３７】
【図１】本発明の一実施例における加入者側に設置されるＡＤＳＬモデムとしてのＡＴＵ−Ｒとその周辺を表わしたブロック図である。
【図２】本実施例の複数ビットマップ記憶部に格納されたビットマップ情報を表わした説明図である。
【図３】図１に示したアナログ端末、ＡＴＵ−ＲおよびＡＴＵ−Ｃの処理の流れを示した説明図である。
【図４】本発明の変形例におけるＡＴＵ−Ｒとその周辺を表わしたブロック図である。
【符号の説明】
【００３８】
１０１、３０１  ＡＴＵ−Ｒ（加入者側に設置されるＡＤＳＬモデム）
１０２  スプリッタ
１０３  電話回線
１０６  アナログ端末
１０８  デジタル端末
１１１  アナログ端末インタフェース
１１２  デジタル端末インタフェース
１１３、３２３  メモリ
１１５  制御部
１１６  複数ビットマップ記憶部
３１１  第１の端末
３１２  第２の端末
３１Ｎ  第Ｎの端末
３３１〜３３Ｎ  ビットマップ情報
【図１】
2006054666.tif 000003
【図２】
2006054666.tif 000004
【図３】
2006054666.tif 000005
【図４】
2006054666.tif 000006